(57)【特許請求の範囲】
【請求項１】
洗浄液が供給されるノズルヘッダ(41)と、該ノズルヘッダ(41)の下部位置に設けられる洗浄ノズルホルダ(43)と、該洗浄ノズルホルダ(43)に連設される洗浄ノズル(44)と、前記洗浄ノズルホルダ(43)を貫通して該ノズルホルダ(43)が周りを回転可能なすすぎ水管路(46,47)と、前記すすぎ水管路(46,47)の終端部分に接続されたすすぎノズル(53)とを、食器が収容される洗浄槽(12)内の上部に備える食器洗浄機において、
前記洗浄ノズルホルダ(43)内部に配置され、該洗浄ノズルホルダ(43)の底面にネジ止め固定されると共に前記すすぎ水管路(46,47)の周りに回転可能に嵌合されるノズルカラー(58,66,68)の形状を、円錐形状にすると共に該円錐形状の裾野を前記洗浄ノズル(44)の根元部まで延在させ、
前記ノズルカラー(58,68)における円錐形状をなす裾野の底面に、前記洗浄ノズルホルダ(43)の回転軸周りの全周に亘って該ノズルホルダ(43)の内底面に密着する環状のリブ(63,72)を突設した
ことを特徴とする食器洗浄機。
【請求項２】
前記すすぎ水管路(46)の前記ノズルカラー(58,66,68)が嵌合される部分を厚肉の環状部材(47)にすると共に、該環状部材(47)の上端部の形状を、前記円錐形状に連続する傾斜面(47a)とした請求項１記載の食器洗浄機。
【請求項３】
前記ノズルカラー(66)における円錐形状の裾野上端が、前記洗浄ノズル(44)の根元部における内周下端より上方に臨むよう設定した請求項１または２記載の食器洗浄機。
【請求項４】
前記環状のリブ(72)は、前記ノズルカラー(68)の回転軸方向に沿う断面形状が、該ノズルカラー(68)の底面から突出するにつれて幅が小さくなるよう設定される請求項１〜３の何れか一項に記載の食器洗浄機。
【請求項５】
前記リブ(72)は、前記ノズルカラー(68)を洗浄ノズルホルダ(43)にネジ止め固定するための該洗浄ノズルホルダ(43)に穿設されたネジ用の通孔(70)より洗浄ノズル(44)の根本部側に設けられている請求項１〜４の何れか一項に記載の食器洗浄機。
【発明の詳細な説明】
【０００１】
【発明の属する技術分野】
本発明は、洗浄槽内の上部に設けられた洗浄ノズルホルダから洗浄ノズルに洗浄液を供給し、この洗浄液を洗浄槽内の食器に噴射する食器洗浄機に関し、更に詳細には、洗浄工程終了後に洗浄液が洗浄ノズルホルダに残留しない構造を持った食器洗浄機に関するものである。
【０００２】
【従来の技術】
飲食に供した皿やコップ等の食器を自動的に洗浄するための食器洗浄機が、喫茶店やレストラン等の厨房や一般家庭に設置され、広く使用されるに至っている。図６は、従来の食器洗浄機の要部斜視図である。この食器洗浄機１０の本体１１には、図示しない開閉扉等で液密に密閉される洗浄槽１２が画成されており、この洗浄槽１２の上部に、上部噴射組立体２０が設けられ、洗浄槽１２の下部には、上部噴射組立体２０に対向する下部噴射組立体３０が設けられ、洗浄槽１２に収容されて両噴射組立体２０,３０間に置かれた図示しない食器が各噴射組立体２０,３０から噴射される洗浄液やすすぎ水を受けて洗浄されるよう構成される。なお、上部噴射組立体２０と下部噴射組立体３０とは、上下対称の構成となっている。
【０００３】
図７は、上部噴射組立体２０の縦断面図である。この上部噴射組立体２０は、下方が開口し側部に洗浄液供給管２１が接続される椀状のノズルヘッダ２２と、上方が開口しノズルヘッダ２２の下部外周に隙間を持って嵌合されて軸心Ｘを中心に回転可能に取り付けられた椀状の洗浄ノズルホルダ２３と、このノズルホルダ２３から放射状に延びる３本の洗浄ノズル２４とを備える。
【０００４】
前記洗浄ノズルホルダ２３の下部には、ノズルヘッダ２２の側部から挿通されてノズルヘッダ２２内部で直角に折れ曲がったすすぎ水供給管２５の下端部が突出されており、この下端部に有底中空ボルト２６が螺着固定されることで、すすぎノズル２７のすすぎノズルホルダ２８がボルト２６周りに回転可能に取り付けられる。
【０００５】
前記洗浄ノズルホルダ２３底部とすすぎノズルホルダ２８との間のすすぎ水供給管２５下端部外周には、ノズルホルダ回転支持板２９が螺着固定されており、このノズルホルダ回転支持板２９が、洗浄ノズルホルダ２３の底部に設けられたボールベアリング３１を支持するようになっている。
【０００６】
このボールベアリング３１は、洗浄ノズルホルダ２３内部に取り付けられたノズルカラー３２によって底面方向に突出するように抑えられており、このノズルカラー３２は、洗浄ノズルホルダ２３内部において肉厚が厚く成形されたすすぎ水供給管２５の肉厚部２５ａの外周に回転可能に嵌合されている。
【０００７】
前述した上部噴射組立体２０では、洗浄工程において洗浄液供給管２１からノズルヘッダ２２内に洗浄液が供給されると、この洗浄液は、図７の矢印ａ方向に流れて洗浄ノズルホルダ２３内に入り、次に各洗浄ノズル２４に供給されて洗浄槽１２内に噴射される。洗浄ノズル２４および洗浄ノズルホルダ２３は、この噴射の反力により、軸心Ｘを中心に回転する。
【０００８】
次のすすぎ工程に入ると、洗浄液の供給が停止され、すすぎ水供給管２５からすすぎ水が供給される。このすすぎ水は、すすぎ水供給管２５から有底中空ボルト２６の側部に穿設された通孔２６ａを通り、各すすぎノズル２７に供給されて洗浄槽１２内に噴射される。すすぎノズル２７およびすすぎノズルホルダ２８は、この噴射の反力により、軸心Ｘを中心に回転する。
【０００９】
【発明が解決しようとする課題】
前記食器洗浄機１０で洗浄液を用いた洗浄工程が終わり、すすぎ工程に入るときは、洗浄液供給管２１からの洗浄液の供給が停止される。前記洗浄ノズルホルダ２３やノズルヘッダ２２内に残留した洗浄液は、洗浄ノズル２４の噴射孔や、洗浄ノズルホルダ２３底部の隙間、すすぎ水供給管２５の肉厚部２５ａとノズルカラー３２との間の嵌合部分の隙間から、上部噴射組立体２０の外部に排出されるようになっている。
【００１０】
しかし、従来の食器洗浄機１０の洗浄ノズルホルダ２３の構造では、図７に示す如く、ノズルカラー３２の外周部と該ノズルホルダ２３の底面側部との間に溝３３が形成されており、また、すすぎ水供給管２５の肉厚部２５ａ頭部とノズルカラー３２の頭部との間に溝３４が形成されているため、これらの溝３３,３４に洗浄液が残留してしまう。これらの溝３３,３４に洗浄液が残留すると、すすぎ工程が終了して洗浄槽１２の扉を開いたときの振動で洗浄液が上部噴射組立体２０から滴下し、すすぎ工程で洗浄液が洗い流された食器の表面に洗浄液が後垂れしてしまうという不具合が生じる。
【００１１】
また、前記洗浄ノズルホルダ２３の金属板製の底面２３ａが絞り加工で製造されるのに対し、この底面２３ａ上に置かれるノズルカラー３２は樹脂成形で製造されるため、両方の面の密着性が悪く、ノズルカラー３２の周辺部をタッピングネジ３６で締め付けても、図８に示すように、両面間に隙間３７が残り、この隙間３７に表面張力で残留した洗浄液が食器に後垂れするという問題がある。なお、タッピングネジ３６ではなく、強い力で締め付けることができるボルト,ナットのような部材を用いれば、この隙間３７を無くすことも可能であるが、ボルトやナットを用いるにはそれだけ取付用の広いスペースが必要となり、タッピングネジ３６しか入らない狭いスペースにボルト,ナットを取り付けることはできないのが現状である。
【００１２】
【発明の目的】
本発明は、従来の技術に係る食器洗浄機に内在している前記欠点に鑑み、これを好適に解決するべく提案されたものであって、洗浄工程終了後に洗浄液がノズルホルダに残留せず、また、洗浄液がすすぎ工程後に後垂れすることのない構造を持った食器洗浄機を提供することを目的とする。
【００１３】
【課題を解決するための手段】
前記課題を解決し、所期の目的を達成するため、本発明に係る食器洗浄機は、
洗浄液が供給されるノズルヘッダと、該ノズルヘッダの下部位置に設けられる洗浄ノズルホルダと、該洗浄ノズルホルダに連設される洗浄ノズルと、前記洗浄ノズルホルダを貫通して該ノズルホルダが周りを回転可能なすすぎ水管路と、前記すすぎ水管路の終端部分に接続されたすすぎノズルとを、食器が収容される洗浄槽内の上部に備える食器洗浄機において、
前記洗浄ノズルホルダ内部に配置され、該洗浄ノズルホルダの底面にネジ止め固定されると共に前記すすぎ水管路の周りに回転可能に嵌合されるノズルカラーの形状を、円錐形状にすると共に該円錐形状の裾野を前記洗浄ノズルの根元部まで延在させ、
前記ノズルカラーにおける円錐形状をなす裾野の底面に、前記洗浄ノズルホルダの回転軸周りの全周に亘って該ノズルホルダの内底面に密着する環状のリブを突設したことを特徴とする。
【００１４】
【発明の実施の形態】
次に、本発明に係る食器洗浄機につき、好適な実施例を挙げて、添付図面を参照しながら以下説明する。なお、食器洗浄機自体の基本的な構成は、図６を参照して従来の技術で説明したものと同じであるので、その説明は省略する。
【００１５】
図１は、本発明の一実施例に係る食器洗浄機の上部噴射組立体４０の縦断面図である。本実施例に係る上部噴射組立体４０は、洗浄液を流す管路とすすぎ水を流す管路とを分離した２重管構造になっており、ノズルヘッダ４１と、このノズルヘッダ４１の内部に洗浄液を導入する洗浄液導入口４２と、ノズルヘッダ４１の下部外周に隙間を持って嵌合し回転可能に支持される洗浄ノズルホルダ４３と、該洗浄ノズルホルダ４３に連設される複数の洗浄ノズル４４とを備える。
【００１６】
更に、前記ノズルヘッダ４１の側部にすすぎ水導入口４５が開口するすすぎ水管路４６は、ノズルヘッダ４１内部で中心軸Ｘ方向に曲げられ、すすぎ水管路４６の端部にはすすぎ水管路４６の一部を構成する厚肉の環状部材４７が液密に連設されている。この環状部材４７の下端部は洗浄ノズルホルダ４３の底面から若干突出しており、この底面に、中空ボルト４８が、支持部材としてのノズルホルダ支持板４９を介して螺着固定されている。
【００１７】
前記中空ボルト４８の下端部には、有底中空ボルト５１が、すすぎノズルホルダ５２を介して螺着固定されている。このすすぎノズルホルダ５２にはすすぎノズル５３が連設されており、前記すすぎ水導入口４５からすすぎ水管路４６に供給されたすすぎ水は、有底中空ボルト５１の中空部から側部通孔５１ａを通って各すすぎノズル５３に供給され、該ノズル５３の図示しない噴射孔から洗浄槽１２内の食器にすすぎ水が噴射される。すなわち、すすぎ水管路４６を構成する環状部材４７の終端部分に、中空ボルト４８および有底中空ボルト５１を介してすすぎノズル５３が接続される。なお、すすぎノズル５３の噴射孔からすすぎ水が噴射される反力によって、該すすぎノズル５３およびすすぎノズルホルダ５２は有底中空ボルト５１の外周囲を回転する。
【００１８】
前記洗浄ノズルホルダ４３は、薄い金属板を椀状に絞り加工して製造され、側面に設けたノズル取付穴に洗浄ノズル４４の根元部が差し込まれて溶接等により固定される。洗浄ノズルホルダ４３の上端開口部には、厚手の例えば樹脂製でなるリング状部材５５が嵌合され、このリング状部材５５が、ノズルヘッダ４１の下端部外周に隙間５６を持って嵌合される。リング状部材５５の、ノズルヘッダ４１側面直下に当たる部分には、全周に亘る凹溝５７が設けられており、この凹溝５７内に溜まった水が、隙間５６を通って洗浄ノズルホルダ４３内に入るようになっている。
【００１９】
前記洗浄ノズルホルダ４３内に設けられている厚肉の環状部材４７の上端部分には、内径部から外径部に向かうにつれて下方向に向かって約４５度程度で傾斜する傾斜面４７ａが設けられている。そして、この環状部材４７の外周囲に回転可能に嵌合される樹脂成形体で成るノズルカラー５８は、円錐形状を成し、その傾斜する上面の最上端は、傾斜面４７ａの下端部と略連続する位置になっている。このため、本実施例の食器洗浄機では、環状部材４７の上端とノズルカラー５８の上端との間には、図７に示す従来技術のような溝３４は形成されない。
【００２０】
更に、前記ノズルカラー５８の外周部分(裾野部分)は、前記洗浄ノズルホルダ４３の側周面まで延在し、その先端は滑らかに洗浄ノズル４４の根元部まで延びている。これにより、本実施例の食器洗浄機では、ノズルカラー５８と洗浄ノズルホルダ４３との間に、図７に示す従来技術のような大きな溝３３は形成されない。
【００２１】
前記ノズルカラー５８は、洗浄ノズルホルダ４３の底面にタッピングネジ６０によりネジ止めされ、ボールベアリング(ベアリング)６１がノズルカラー５８に保持される。このボールベアリング６１は、前記ノズルホルダ支持板４９の上面で転動可能となっており、洗浄ノズル４４から洗浄液が噴射した時に洗浄ノズルホルダ４３が環状部材４７周りに回転する。この洗浄ノズルホルダ４３は、ノズルホルダ支持板４９を介してすすぎ水管路４６(すなわち、図６に示すすすぎ水供給管２５)によって支持される。
【００２２】
図２は、ノズルカラー５８の底部の拡大図である。本実施例では、ノズルカラー５８の底部のボールベアリング６１に隣接する部分(ボールベアリング６１の保持部より外周側)に、軸Ｘを中心とする環状のリブ６３を突設してあり、このリブ６３が、洗浄ノズルホルダ４３の内底面に密着するようになっている。なお、実施例ではリブ６３は一重であるが、複数のリブを径方向に離間して同心的に設けるようにしてもよい。
【００２３】
前述したように、洗浄ノズルホルダ４３は絞り加工されているのに対し、ノズルカラー５８は樹脂成形品であるため、両者間には隙間６４が存在してしまう。しかも、両者間をタッピングネジ６０のような締付力の弱い結合部材で結合せざるを得ないという事情がある。しかるに、本実施例では、幅の狭いリブ６３の部分だけが洗浄ノズルホルダ４３の内底面に接触(略線接触)する構成としているため、タッピングネジ６０の締付力だけでもリブ６３が全周に亘って洗浄ノズルホルダ４３の内底面に密着し、隙間６４に残る洗浄液がリブ６３と洗浄ノズルホルダ４３の内底面との間を通ってボールベアリング６１の保持部から漏れ出るのは防止される。
【００２４】
【実施例の作用】
次に、前述した本実施例の食器洗浄機の作用について説明する。
【００２５】
本実施例に係る食器洗浄機では、洗浄工程に入ると、前記洗浄液導入口４２からノズルヘッダ４１内に洗浄液が供給され、この洗浄液はノズルヘッダ４１内部から洗浄ノズルホルダ４３内に入り、環状部材４７の傾斜面４７ａとノズルカラー５８の傾斜する上面に沿って洗浄ノズル４４方向に流れ、洗浄ノズル４４の噴射孔から洗浄槽１２内に噴射される。この噴射の反力が洗浄ノズル４４に加わるため、洗浄ノズルホルダ４３は、環状部材４７の周りに回転し、洗浄液は洗浄槽１２内に満遍なく噴射される。
【００２６】
洗浄工程が終了して洗浄液導入口４２から供給される洗浄液がストップすると、ノズルヘッダ４１内部の洗浄液は自重により洗浄ノズルホルダ４３内に入り、続いて前記傾斜面４７ａおよびノズルカラー５８の上面に沿って洗浄ノズル４４の方向に流れ、噴射孔から洗浄槽１２内に排出される。また、環状部材４７とノズルカラー５８との嵌合部分の摺接面に残留する洗浄液も自重により摺接面から洗浄槽内に滴下する。
【００２７】
すすぎ工程に入ると、すすぎ水導入口４５からすすぎ水管路４６内にすすぎ水が供給され、このすすぎ水は、有底中空ボルト５１の通孔５１ａからすすぎノズル５３内に入り、洗浄槽１２内に噴射される。この噴射による反力がすすぎノズル５３に加わることで、すすぎノズル５３は有底中空ボルト５１の周りを回転し、これにより満遍なくすすぎ水が洗浄槽１２内に噴射される。
【００２８】
図６に示すように、洗浄槽１２内に設けられた下部噴射組立体３０からもすすぎ水が吹き上げられ、すすぎ水の飛沫が洗浄槽１２内に充満し、すすぎ水の飛沫が図１の洗浄ノズルヘッダ４１の周面に付着し、壁面を伝ってすすぎ水が前記凹溝５７に集められる。このすすぎ水は、隙間５６を通って洗浄ノズルホルダ４３内に入り、内部の壁面を伝い、壁面に付着した洗浄液を希釈しながら、環状部材４７の傾斜面４７ａおよびノズルカラー５８の上面を流れ、洗浄ノズル４４の噴射孔から洗浄槽１２内に滴下し、洗浄ノズルホルダ４３内の残留洗浄液がすすぎ水で洗い流される。
【００２９】
本実施例に係る食器洗浄機は、洗浄工程後に洗浄ノズルホルダ４３内に残る洗浄液が、従来と比べて図７の溝３３,３４が無い分だけ少なく、このため、僅かなすすぎ水が隙間５６から洗浄ノズルホルダ４３内に入ることで、該ノズルホルダ４３内部に残留する洗浄液は奇麗に洗い流される。また、環状部材４７とノズルカラー５８との間の嵌合部分の摺接面に入ったすすぎ水も、自重によって摺接面を下に流れ、ここに残留する洗浄液を希釈しながら洗浄槽１２内に滴下する。
【００３０】
前記ノズルカラー５８内部に入ったすすぎ水は、図２に示す隙間６４内にも入る。この隙間６４に残留する洗浄液がすすぎ水で希釈され、溢れた部分は、洗浄ノズル４４に流れ、該ノズル４４の噴射孔から洗浄槽１２内に排出されるが、タッピングネジ６０によって狭くなった部分に表面張力によって残留する洗浄液は、希釈されたまま隙間６４内に残留することになる。
【００３１】
すすぎ工程が終了したとき、洗浄槽１２の扉が開けられ、洗浄槽１２内の食器が外部に取り出される。この扉の開閉時で生じる振動は、前記洗浄ノズルホルダ４３に加わるが、本実施例では、図２に示すように、リブ６３が洗浄ノズルホルダ４３の内底面に密着しているため、振動が加わっても隙間６４内に残留する希釈された洗浄液がボールベアリング６１の保持部から食器に滴下することはない。
【００３２】
以上述べたように、本実施例の食器洗浄機では、食器を洗浄した後の洗浄液の後切れが良くなり、ノズルホルダ内部に残留する洗浄液量を少なくしたので、少ないすすぎ水がノズルホルダ内に入るだけでノズルホルダ内を奇麗に洗い流すことが可能となり、洗浄液のすすぎ工程後の後垂れを防止できると共に、使用するすすぎ水量を少なくでき、ランニングコストの低減を図ることができる。
【００３３】
【別実施例】
図３〜図５は、別実施例に係る食器洗浄機の要部を示すものであって、前述した実施例と異なる部分についてのみ説明すると共に、同一部材には同じ符号を付して示すこととする。図３に示す第１の別実施例に係るノズルカラー６６の外周部分(裾野部分)は、前述した実施例と同様に、前記洗浄ノズルホルダ４３の側周面まで延在し、その先端は滑らかに洗浄ノズル４４の根元部まで延びている。またこの外周部先端の底面は、洗浄ノズルホルダ４３における内底面の輪郭に略沿うよう形成され、ノズルカラー６６の外周部先端底面と洗浄ノズルホルダ４３の内底面との間に大きな隙間が形成されないよう構成されている。これにより、洗浄工程の終了時において洗浄ノズルホルダ４３内に残留する洗浄液の量が低減し、すすぎ工程においてすすぎ水により残留洗浄液は短時間で希釈排出され、すすぎに要する時間が短縮してすすぎ性能が向上する。
【００３４】
また、前記ノズルカラー６６における外周部先端の上端、すなわち傾斜する上面の最下端(円錐形状の裾野上端)は、前記洗浄ノズル４４の根元部(洗浄ノズルホルダ４３に対する洗浄ノズル４４の連設端)における内周下端より上方(ノズル内側)に臨むよう設定されている。すなわち、ノズルカラー６６の傾斜する上面に沿って流れる洗浄液が、洗浄ノズル４４の根元部下端より下方に臨む洗浄ノズルホルダ４３の側周面に当って抵抗が発生することはなく、該洗浄液は洗浄ノズル４４内に円滑に導入される。従って、洗浄工程が終了した際にノズルヘッダ４１から洗浄ノズルホルダ４３内に入った洗浄液は、ノズルカラー６６の上面に沿って洗浄ノズル４４内に円滑に流れ、洗浄液は素早く排出される。これにより、例えば洗浄工程の終了後、ノズルから後垂れが終わるのを待ってからすすぎ工程へ移行するようタイマーで制御される場合に、次のすすぎ工程への待ち時間を短縮することができると共に、すすぎ水による残留洗浄液の排出に要する時間も短くし得る。
【００３５】
図４および図５に示す第２の別実施例に係るノズルカラー６８は、前述した第１の別実施例と同様に構成される他に、その底部における前記タッピングネジ６０によるネジ止め位置より外周側、すなわち洗浄ノズルホルダ４３に穿設されるネジ用の通孔７０より洗浄ノズル４４の根元部側に、前記軸Ｘを中心とする環状のリブ７２が突設され、このリブ７２が、洗浄ノズルホルダ４３の内底面に密着するようになっている。またこのリブ７２は、前記ノズルカラー６８の回転軸方向に沿う断面形状が、該ノズルカラー６８の底面から突出するにつれて幅が小さくなる、例えば逆三角形状に設定される。これにより、前記タッピングネジ６０でノズルカラー６８を洗浄ノズルホルダ４３の底面にネジ止めする際に、前記リブ７２が洗浄ノズルホルダ４３の内底面に圧縮されながら確実に密着する。なお、前記ネジ用の通孔７０は、前記ボールベアリング６１の保持部より外側に設けられている。すなわち、ノズルカラー６８や洗浄ノズルホルダ４３の加工精度にバラツキがあっても、前記リブ７２による確実なシールが達成され、洗浄工程において前記ネジ用の通孔７０やボールベアリング６１の保持部から洗浄液が漏れてホルダ内圧力が低下し、これにより洗浄能力が低下するのは防止される。また、洗浄工程後の残留洗浄液の後垂れも確実に防止することができる。なお、ノズルカラー６８の底部に、複数のリブ７２を同心状に設けてもよい。
【００３６】
実施例では、洗浄ノズルホルダと洗浄ノズルとが別体で構成されて溶接等により接続される場合で説明したが、洗浄ノズルホルダと洗浄ノズルとが一体成形されているものであってもよく、この構成ではノズルカラーが内部に配設されるホルダからノズルに移行する部分がノズルの根元部となる。また実施例では、洗浄ノズルホルダがノズルホルダ支持板に対してボールベアリングを介して回転可能に載置されるよう構成したが、ノズルホルダ支持板やボールベアリングを省略し、環状部材の外周囲に回転可能に嵌合されたノズルカラー、その他の手段により上下方向の位置決めを行なうと共に回転可能とする構成を採用し得る。
【００３７】
【発明の効果】
以上に説明した如く、本発明に係る食器洗浄機では、洗浄ノズルホルダ内部に配置されるノズルカラーの形状を円錐形状にすると共にその裾野を洗浄ノズルの根元部まで延在するよう構成したから、ノズルホルダ内に残留する洗浄液を洗浄ノズルに効率的に導びいて噴射孔から外部に排出することができる。すなわち、食器洗浄後の洗浄液の後切れが良くなり、しかもすすぎ工程後の洗浄液の後垂れもなくなり、更に、使用するすすぎ水の量を少なくできるためランニングコストが低減する。またノズルカラーの底面に、洗浄ノズルホルダの内底面に密着する環状のリブを設けたので、両者の加工精度が低くてもノズルホルダの内底面にリブを密着させることができ、両者の間から洗浄液が漏れ出るのを防止し得る。
【００３８】
なお、ノズルカラーにおける円錐形状の裾野上端を、洗浄ノズルの根元部における内周下端より上方に臨むよう設定したことで、ノズルホルダ内に残留する洗浄液を洗浄ノズルに円滑に導びいて排出することができ、すすぎ工程へ移行するまでの待ち時間を短縮することができる。更に、前記リブの断面形状を、ノズルカラーの底面から突出するにつれて幅が小さくなるよう設定したから、該リブは洗浄ノズルホルダに対して確実に密着し、シール性が向上する。
【図面の簡単な説明】
【図１】  本発明の一実施例に係る食器洗浄機の上部噴射組立体の要部縦断面図である。
【図２】  図１に示すノズルカラーと洗浄ノズルホルダの底部を示す要部拡大図である。
【図３】  第１の別実施例に係るノズルカラーと洗浄ノズルホルダの底部を示す要部拡大図である。
【図４】  第２の別実施例に係るノズルカラーを洗浄ノズルホルダから分離した状態で底部を示す要部拡大図である。
【図５】  第２の別実施例に係るノズルカラーを洗浄ノズルホルダにネジ止めした状態で底部を示す要部拡大図である。
【図６】  従来の食器洗浄機の要部斜視図である。
【図７】  図６に示す従来の上部噴射組立体の要部縦断面図である。
【図８】  図７に示す洗浄ノズルホルダの底部を示す要部拡大図である。
【符号の説明】
４１ ノズルヘッダ，４３ 洗浄ノズルホルダ，４４ 洗浄ノズル
４６ すすぎ水管路，４７ 環状部材(すすぎ水管路)，４７ａ 傾斜面
４９ ノズルホルダ支持板(支持部材)，５３ すすぎノズル
５８ ノズルカラー，６１ ボールベアリング(ベアリング)，６３ リブ
６６ ノズルカラー，６８ ノズルカラー，７０ 通孔，７２ リブ
【図１】
0004147060.tif 000002
【図２】
0004147060.tif 000003
【図３】
0004147060.tif 000004
【図４】
0004147060.tif 000005
【図５】
0004147060.tif 000006
【図６】
0004147060.tif 000007
【図７】
0004147060.tif 000008
【図８】
0004147060.tif 000009